【手続補正書】
【提出日】平成20年2月13日(2008.2.13)
【手続補正１】
【補正対象書類名】明細書
【補正対象項目名】発明の名称
【補正方法】変更
【補正の内容】
【発明の名称】情報信号処理装置、情報信号処理方法、画像信号処理装置およびそれを使用した画像表示装置、それに使用される係数種データ生成装置、係数データ生成装置、並びに情報提供媒体
【手続補正２】
【補正対象書類名】明細書
【補正対象項目名】特許請求の範囲
【補正方法】変更
【補正の内容】
【特許請求の範囲】
【請求項１】  入力される第１の情報信号に対して、複数の機能の中から決定された一の機能の処理を行って第２の情報信号を生成し、該第２の情報信号を出力する情報信号処理装置であって、
上記複数の機能の中から上記一の機能を決定するパラメータの値を入力するパラメータ入力手段と、
上記パラメータ入力手段で入力されたパラメータの値に対応して上記第１の情報信号を構成する情報データから上記第２の情報信号を構成する情報データを生成する情報データ生成手段と
を備えることを特徴とする情報信号処理装置。
【請求項２】  複数の情報データからなる第１の情報信号を複数の情報データからなる第２の情報信号に変換する情報信号処理装置であって、
上記第１の情報信号から、上記第２の情報信号に係る注目点の周辺に位置する複数の第１の情報データを選択する第１のデータ選択手段と、
上記第１のデータ選択手段で選択された上記複数の第１の情報データに基づいて、上記注目点が属するクラスを検出するクラス検出手段と、
上記第２の情報信号によって得られる出力の質を決める複数種類のパラメータの値を調整するパラメータ調整手段と、
上記クラス検出手段で検出されたクラスおよび上記パラメータ調整手段で調整された複数種類のパラメータの値に対応して、上記注目点の情報データを生成する情報データ生成手段と
を備えることを特徴とする情報信号処理装置。
【請求項３】  上記情報データ生成手段は、
上記クラス検出手段で検出されるクラス毎に予め求められた、推定式の係数データを生成する上記複数種類のパラメータを含む生成式の係数データである係数種データを記憶する第１のメモリ手段と、
上記第１のメモリ手段に記憶されている係数種データと上記パラメータ調整手段で調整された複数種類のパラメータの値とを用いて上記生成式によって生成され、上記クラス検出手段で検出されたクラスおよび上記パラメータ調整手段で調整された複数種類のパラメータの値に対応した上記推定式の係数データを発生する係数データ発生手段と、
上記第１の情報信号から、上記第２の情報信号に係る注目点の周辺に位置する複数の第２の情報データを選択する第２のデータ選択手段と、
上記係数データ発生手段で発生された上記係数データと上記第２のデータ選択手段で選択された上記複数の第２の情報データとから、上記推定式を用いて上記注目点の情報データを算出して得る演算手段と
を有することを特徴とする請求項２に記載の情報信号処理装置。
【請求項４】  上記係数データ発生手段は、
上記第１のメモリ手段に記憶されている係数種データと上記調整された複数種類のパラメータの値とを用い、上記生成式により、上記クラス検出手段で検出されるクラス毎に上記推定式の係数データを生成する係数データ生成手段と、
上記係数データ生成手段で生成された各クラスにおける上記推定式の係数データを記憶する第２のメモリ手段と、
上記第２のメモリ手段より上記クラス検出手段で検出されたクラスに対応した上記推定式の係数データを読み出して出力する係数データ読み出し手段と
を有してなることを特徴とする請求項３に記載の情報信号処理装置。
【請求項５】  上記係数データ発生手段で発生される上記推定式の係数データの総和を求める加算手段と、
上記演算手段で得られた上記注目点の情報データを上記総和で除算して正規化する正規化手段とをさらに備える
ことを特徴とする請求項３に記載の情報信号処理装置。
【請求項６】  上記情報データ生成手段は、
上記クラス検出手段で検出されるクラスおよび上記パラメータ調整手段で調整される複数種類のパラメータの値の組み合わせ毎に予め生成された推定式の係数データを記憶するメモリを持ち、上記クラス検出手段で検出されたクラスおよび上記パラメータ調整手段で調整された複数種類のパラメータの値に対応した上記推定式の係数データを発生する係数データ発生手段と、
上記第１の情報信号から、上記第２の情報信号に係る注目点の周辺に位置する複数の第２の情報データを選択する第２のデータ選択手段と、
上記係数データ発生手段で発生された上記係数データと上記第２のデータ選択手段で選択された上記複数の第２の情報データとから、上記推定式を用いて上記注目点の情報データを算出して得る演算手段と
を有することを特徴とする請求項２に記載の情報信号処理装置。
【請求項７】  上記係数データ発生手段は、
上記クラス検出手段で検出されるクラスおよび上記パラメータ調整手段で調整される複数種類のパラメータの値の組み合わせ毎に予め生成された上記推定式の係数データを記憶する第１のメモリ部と、
上記第１のメモリ部より上記パラメータ調整手段で調整された複数種類のパラメータの値に対応する各クラスの係数データを読み出す第１のデータ読み出し手段と、
上記第１のデータ読み出し手段で読み出された各クラスの係数データを記憶する第２のメモリ部と、
上記第２のメモリ部より上記クラス検出手段で検出されたクラスに対応する係数データを読み出す第２のデータ読み出し手段と
を有してなることを特徴とする請求項６に記載の情報信号処理装置。
【請求項８】  上記パラメータ調整手段は、
上記複数種類のパラメータの調整位置を表示する表示手段と、
上記表示手段の表示を参照して上記複数種類のパラメータの値を調整するユーザ操作手段と
を有してなることを特徴とする請求項２に記載の情報信号処理装置。
【請求項９】  複数の画素データからなる第１の画像信号を複数の画素データからなる第２の画像信号に変換する画像信号処理装置であって、
上記第１の画像信号から、上記第２の画像信号に係る注目画素の周辺に位置する複数の画素データを選択するデータ選択手段と、
上記データ選択手段で選択された上記複数の画素データに基づいて、上記注目画素が属するクラスを検出するクラス検出手段と、
上記第２の画像信号によって得られる出力の質を決める複数種類のパラメータの値を調整するパラメータ調整手段と、
上記クラス検出手段で検出されたクラスおよび上記パラメータ調整手段で調整された複数種類のパラメータの値に対応して、上記注目画素の画素データを生成する画素データ生成手段と
を備えることを特徴とする画像信号処理装置。
【請求項１０】  複数の画素データからなる第１の画像信号を入力する画像信号入力手段と、
上記画像信号入力手段より入力された上記第１の画像信号を複数の画素データからなる第２の画像信号に変換して出力する画像信号処理手段と、
上記画像信号処理手段より出力される上記第２の画像信号による画像を画像表示素子に表示する画像表示手段と、
上記画像表示素子に表示される上記画像の画質を決める複数種類のパラメータの値を調整するパラメータ調整手段とを有してなり、
上記画像信号処理手段は、
上記第１の画像信号から、上記第２の画像信号に係る注目画素の周辺に位置する複数の画素データを選択するデータ選択手段と、
上記データ選択手段で選択された上記複数の画素データに基づいて、上記注目画素が属するクラスを検出するクラス検出手段と、
上記クラス検出手段で検出されたクラスおよび上記パラメータ調整手段で調整された複数種類のパラメータの値に対応して、上記注目画素の画素データを生成する画素データ生成手段とを備える
ことを特徴とする画像表示装置。
【請求項１１】  複数の情報データからなる第１の情報信号を複数の情報データからなる第２の情報信号に変換する情報信号処理方法であって、
上記第１の情報信号から、上記第２の情報信号に係る注目点の周辺に位置する複数の第１の情報データを選択する第１のステップと、
上記第１のステップで選択された上記複数の第１の情報データに基づいて、上記注目点が属するクラスを検出する第２のステップと、
上記第２の情報信号によって得られる出力の質を決める複数種類のパラメータの値を調整する第３のステップと、
上記第２のステップで検出されたクラスおよび上記第３のステップで調整された複数種類のパラメータの値に対応して、上記注目点の情報データを生成する第４のステップと
を備えることを特徴とする情報信号処理方法。
【請求項１２】  複数の情報データからなる第１の情報信号を複数の情報データからなる第２の情報信号に変換するために、
上記第１の情報信号から、上記第２の情報信号に係る注目点の周辺に位置する複数の情報データを選択する第１のステップと、
上記第１のステップで選択された上記複数の情報データに基づいて、上記注目点が属するクラスを検出する第２のステップと、
上記第２の情報信号によって得られる出力の質を決める複数種類のパラメータの値を調整する第３のステップと、
上記第２のステップで検出されたクラスおよび上記第３のステップで調整された複数種類のパラメータの値に対応して、上記注目点の情報データを生成する第４のステップと
を実行するためのコンピュータプログラムを提供する情報提供媒体。
【請求項１３】  複数の情報データからなる第１の情報信号を複数の情報データからなる第２の情報信号に変換する際に使用される推定式の係数データを生成するための生成式の係数データである係数種データを生成する装置であって、
上記第２の情報信号に対応した教師信号を処理して上記第１の情報信号に対応する入力信号を得る信号処理手段と、
上記生成式に含まれる複数種類のパラメータに対応し、上記入力信号によって得られる出力の質を決める複数種類のパラメータの値を調整するパラメータ調整手段と、
上記入力信号から、上記教師信号に係る注目点の周辺に位置する複数の第１の情報データを選択する第１のデータ選択手段と、
上記第１のデータ選択手段で選択された上記複数の第１の情報データに基づいて、上記注目点が属するクラスを検出するクラス検出手段と、
上記入力信号から、上記教師信号に係る注目点の周辺に位置する複数の第２の情報データを選択する第２のデータ選択手段と、
上記クラス検出手段で検出されたクラス、上記第２のデータ選択手段で選択された上記複数の第２の情報データおよび上記教師信号に係る注目点の情報データから、クラス毎に、上記係数種データを得るための正規方程式を生成する正規方程式生成手段と、
上記正規方程式を解いて上記クラス毎に上記係数種データを得る係数種データ演算手段と
を備えることを特徴とする係数種データ生成装置。
【請求項１４】  複数の情報データからなる第１の情報信号を複数の情報データからなる第２の情報信号に変換する際に使用される推定式の係数データを生成するための生成式の係数データである係数種データを生成する装置であって、
上記第２の情報信号に対応した教師信号を処理して上記第１の情報信号に対応する入力信号を得る信号処理手段と、
上記生成式に含まれる複数種類のパラメータに対応し、上記入力信号によって得られる出力の質を決める複数種類のパラメータの値を調整するパラメータ調整手段と、
上記入力信号から、上記教師信号に係る注目点の周辺に位置する複数の第１の情報データを選択する第１のデータ選択手段と、
上記第１のデータ選択手段で選択された上記複数の第１の情報データに基づいて、上記注目点が属するクラスを検出するクラス検出手段と、
上記入力信号から、上記教師信号に係る注目点の周辺に位置する複数の第２の情報データを選択する第２のデータ選択手段と、
上記クラス検出手段で検出されたクラス、上記第２のデータ選択手段で選択された上記複数の第２の情報データおよび上記教師信号に係る注目点の情報データから、上記クラスおよび上記複数種類のパラメータの値の組み合わせ毎に上記推定式の係数データを得るための第１の正規方程式を生成する第１の正規方程式生成手段と、
上記第１の正規方程式を解いて、上記組み合わせ毎に上記推定式の係数データを得る係数データ演算手段と、
上記係数データ演算手段で得られた上記組み合わせ毎の係数データから、クラス毎に、上記係数種データを得るための第２の正規方程式を生成する第２の正規方程式生成手段と、
上記第２の正規方程式を解いて、上記クラス毎に上記係数種データを得る係数種データ演算手段と
を備えることを特徴とする係数種データ生成装置。
【請求項１５】  複数の情報データからなる第１の情報信号を複数の情報データからなる第２の情報信号に変換する際に使用される推定式の係数データを生成する装置であって、
上記第２の情報信号に対応する教師信号を処理して上記第１の情報信号に対応する入力信号を得る信号処理手段と、
上記入力信号によって得られる出力の質を決める複数種類のパラメータの値を調整するパラメータ調整手段と、
上記入力信号から、上記教師信号に係る注目点の周辺に位置する複数の第１の情報データを選択する第１のデータ選択手段と、
上記第１のデータ選択手段で選択された上記複数の第１の情報データに基づいて、上記注目点が属するクラスを検出するクラス検出手段と、
上記入力信号から、上記教師信号に係る注目点の周辺に位置する複数の第２の情報データを選択する第２のデータ選択手段と、
上記クラス検出手段で検出されたクラス、上記第２のデータ選択手段で選択された上記複数の第２の情報データおよび上記教師信号に係る注目点の情報データから、上記クラスおよび上記複数種類のパラメータの値の組み合わせ毎に、上記推定式の係数データを得るための正規方程式を生成する正規方程式生成手段と、
上記正規方程式を解いて上記組み合わせ毎の上記係数データを得る係数データ演算手段と
を備えることを特徴とする係数データ生成装置。
【手続補正３】
【補正対象書類名】明細書
【補正対象項目名】００１０
【補正方法】削除
【補正の内容】
【手続補正４】
【補正対象書類名】明細書
【補正対象項目名】００２６
【補正方法】削除
【補正の内容】
【手続補正５】
【補正対象書類名】明細書
【補正対象項目名】００２７
【補正方法】削除
【補正の内容】
【手続補正６】
【補正対象書類名】明細書
【補正対象項目名】００３３
【補正方法】削除
【補正の内容】
【手続補正７】
【補正対象書類名】明細書
【補正対象項目名】００３４
【補正方法】削除
【補正の内容】
【手続補正８】
【補正対象書類名】明細書
【補正対象項目名】００４１
【補正方法】削除
【補正の内容】
【手続補正９】
【補正対象書類名】明細書
【補正対象項目名】００４２
【補正方法】削除
【補正の内容】
【手続補正１０】
【補正対象書類名】図面
【補正対象項目名】図１６
【補正方法】変更
【補正の内容】
【図１６】
2002218413.tif 000001
【手続補正１１】
【補正対象書類名】図面
【補正対象項目名】図２１
【補正方法】変更
【補正の内容】
【図２１】
2002218413.tif 000002
【手続補正１２】
【補正対象書類名】図面
【補正対象項目名】図２７
【補正方法】変更
【補正の内容】
【図２７】
2002218413.tif 000003